(57)【要約】【課題】携帯電話等の機器と、機器に接続された連携処理装置とからなるシステムにおいて、操作ボタン等による種々の設定動作や支援装置との同期、設定処理が設計通りに行えるかどうかを簡単かつ自動的に判定できるようにする。【解決手段】携帯電話１０と、連携処理装置３０とからなる機器システムを検査対象を検査する検査装置であって、機器の外部入力に対応する出力を上記機器に対して発生すると共に、検査対象機器の出力手段の出力を機器外部で検出する入出力機構部２０と、入出力機構部２０と連携処理装置３０とに接続され、入出力機構部を制御して入力機構部に配置された機器に所定の外部入力を入力させると共に機器の出力を受信する一方、連携処理装置３０への指令信号を発生して連携処理装置を遠隔操作すると共に連携処理装置の動作状態を受信し、携帯電話１０と連携処理装置３０との連携処理を実行させる連携処理検査装置４０とを備えた。【選択図】図２
2008005391.tif 000002
【特許請求の範囲】
【請求項１】
外部からの物品接触による入力、音声入力、有線入力、電磁波による無線信号入力、画像信号入力を含む外部入力に対応して内部状態が変化し、内部状況の変化に伴い、画像、音声、外部機器への信号を含む外部出力を送出する出力手段を備えた機器と、上記機器と接続され、外部からの指令信号に基づいて機器とのデータの同期、機器の設定、機器への指示、機器の監視を含む機器への連携処理を行う連携処理装置と、からなる機器システムを検査対象として、該システムの動作を検査する検査装置であって、
前記機器の外部入力に対応する出力を上記機器に対して発生すると共に、検査対象機器の出力手段の出力を機器外部で検出する入出力機構部と、
上記入出力機構部と前記連携処理装置とに接続され、入出力機構部を制御して入力機構部に配置された機器に所定の外部入力を入力させると共に機器の出力を受信する一方、前記連携処理装置への指令信号を発生して連携処理装置を遠隔操作すると共に連携処理装置の動作状態を受信し、前記機器と前記連携処理装置との連携処理を実行させる連携処理検査装置と、
を備えたことを特徴とする機器システムの検査装置、
【請求項２】
前記連携処理検査装置には、前記機器と連携処理装置との連携処理が予め定められた所定の手順で実行されるかどうかを評価するシステム評価手段を備えることを特徴とする請求項１記載の機器システムの検査装置。
【請求項３】
前記連携処理検査装置は、
前記連携処理手段のディスプレイ表示画像を取得して、連携処理検査装置のディスプレイに表示する画像取得手段と、
該検査用情報処理装置のディスプレイに表示された連携処理装置の表示画像上におけるポインティングデバイスでの入力操作で前記連携処理装置への入力処理を行う入力設定手段と、
を備えることを特徴とする請求項１又は２記載の機器システムの検査装置。
【請求項４】
前記連携処理検査装置は、
前記機器の外部入力に対応する入力用画像を連携処理検査装置のディスプレイに表示する入力画像表示手段と、前記入力画像上におけるポインティングデバイスでの入力操作で前記機器の入力手段への入力処理を行う機器入力設定手段と、を備えることを特徴とする請求項１乃至３のいずれか記載の機器システムの検査装置。
【請求項５】
前記連携処理検査装置は、ディスプレイとポインティングデバイスとを備えることを特徴とする請求項３又は４記載の機器システムの検査装置。
【請求項６】
前記連携処理検査装置は、前記入出力機構の動作手順、及び、前記連携処理装置への入力手順の少なくとも一方の入力手順を作成するシナリオ作成手段と、作成されたシナリオに基づいて入力動作を実行させるシナリオ実行手段と、を備えることを特徴とする請求項１乃至４のいずれか記載の機器システムの検査装置。
【請求項７】
シナリオ作成手段は、ディスプレイに表示された連携処理装置機器の入力用画像及び前記機器の入力画像上でのポインティングデバイスの入力操作によりシナリオにおける動作手順を指定することを特徴とする請求項６記載の機器システムの検査装置。
【請求項８】
前記連携処理装置と連携処理検査装置とは同一の情報処理装置に配置されることを特徴とする請求項１乃至７のいずれか記載の機器システムの検査装置。
【請求項９】
前記連携処理装置と連携処理検査装置とは別異の情報処理装置に配置されることを特徴とする請求項１乃至７のいずれか記載の機器システムの検査装置。
【請求項１０】
前記機器、連携処理装置、及び連携処理検査装置はネットワークで結合されていることを特徴とする請求項１乃至９のいずれか記載の機器システムの検査装置。
【請求項１１】
１台の機器と１台の連携処理装置、１台の機器と複数台の連携処理装置、複数台の機器と１台の連携処理装置、又は、複数台の機器と複数台の連携処理装置が連結されていることを特徴とする請求項１乃至１０のいずれか記載の機器システムの検査装置。
【請求項１２】
１台の連携処理検査装置に複数台の入出力機構が接続されていることを特徴とする請求項１乃至１１のいずれか記載の機器システムの検査装置。
【請求項１３】
複数台の入出力機構にそれぞれ配置された機器に対応する複数台の連携処理装置が連結されていることを特徴とする請求項１２記載の機器システムの検査装置。
【請求項１４】
前記機器は、携帯電話、車載ナビゲーション装置、車載オーディオ装置、携帯電子端末装置、携帯音声画像録再装置、電子楽器、画像形成装置、又は、ネットワーク機器であることを特徴とする請求項１乃至１３のいずれか記載の機器システムの検査装置。
【請求項１５】
前記連携処理装置は、コンピュータであり、機器との連携アプリケーションプログラムがインストールされて前記連携処理をなすことを特徴とする請求項１乃至１４のいずれか記載の機器システムの検査装置。
【請求項１６】
前記連携処理装置には、機器との連携処理をなす計測器、シミュレータ装置を含む外部ハードウェアが接続されていることを特徴とする請求項１乃至１５のいずれか記載の機器システムの検査装置。
【発明の詳細な説明】
【技術分野】
【０００１】
本発明は、携帯電話等の機器と、機器に接続してデータの同期や機器の設定を行うパーソナルコンピュータなどの機器支援装置とからなる機器システムが設計通りに機能するかを判定するための検査装置に関する。
【背景技術】
【０００２】
周知のように携帯電話やＰＨＳ、ＰＤＡ、ゲーム機、ノートブック型のパーソナルコンピュータ、カーナビゲーション装置等の機器には多数の操作ボタン、有線・無線の入力端子が設けられており、使用者は目的に応じて適宜これら操作ボタンを操作したり、信号を入力したりするようになっている。また近年ではＬＣＤ等を用いた表示部と操作ボタン等を備えた操作部とをヒンジで連結して折り畳み式にしたものが多くなっている。ところでこれらの機器の操作ボタンは、例えば携帯電話やＰＨＳにあっては、単に電話をかけるためのダイアリングや、文字入力に用いられるだけでなく、電話機やコンピュータとしての種々の設定のためにも用いられるようになっている。  
【０００３】
これらの設定には、例えばオートロック、通話料金表示、使用時間表示、着信音設定、使用者情報設定、使用言語設定等があり、昨今の携帯電話ではかなり多様かつ複雑な設定が可能になっている。ＰＤＡ、ゲーム機、ノートブック型のパーソナルコンピュータ、カーナビゲーション装置等でも同様である。  
【０００４】
また例えばＰＤＡやカーナビゲーション装置では、表示部にタッチパネルを用いているものが多く、ハードウェアの操作ボタンだけでなく、表示部にソフトウェアで表示した操作ボタンによっても上述のような操作を可能としている。尚以下では、特にことわらなければ、単に操作ボタンというときは、ハードウェアの操作ボタンだけでなく、ソフトウェアで表示した操作ボタンを含むものとする。
【０００５】
また、このような機器には、連携処理を行う装置としてパーソナルコンピュータを接続して、パーソナルコンピュータのソフトウェアと連携して電話番号、メールアドレス、予定表データをパーソナルコンピュータと同期させるものがある。また、機器の中には、機器とパーソナルコンピュータとを接続して、機器の設定をパーソナルコンピュータ側から行うようにしたものもある。
【発明の開示】
【発明が解決しようとする課題】
【０００６】
従来携帯電話やＰＤＡ等の機器の製造者は、出荷前に操作ボタン等を用いたこれらの設定操作、動作を不具合がなく行えるか否かを検査して判定、確認しておく必要がある他、前記製造者は、機器と支援装置であるパーソナルコンピュータに接続した状態で、データの同期や機器の設定が正常に行われるか否かを検査して判定、確認しておく必要がある。  
【０００７】
従来携帯電話等の機器の製造各社は、これらの判定、確認作業を手作業に近い形態で行っており、その手間が無視できないため、改良が求められていた。  
【０００８】
そこで本発明は、上記従来の問題点にかんがみ、携帯電話等の機器と、機器の接続された連携処理装置とからなるシステムにおいて、操作ボタン等による種々の設定動作や支援装置との同期、設定処理が設計通りに行えるようになっているかどうかを簡単かつ自動的に判定できるようにした機器システムの検査装置を提供することを目的とする。
【課題を解決するための手段】
【０００９】
本発明は、外部からの物品接触による入力、音声入力、有線入力、電磁波による無線信号入力、画像信号入力を含む外部入力に対応して内部状態が変化し、内部状況の変化に伴い、画像、音声、外部機器への信号を含む外部出力を送出する出力手段を備えた機器と、上記機器と接続され、外部からの指令信号に基づいて機器とのデータの同期、機器の設定、機器への指示、機器の監視を含む機器への連携処理を行う連携処理装置と、からなる機器システムを検査対象として、該システムの動作を検査する検査装置であって、前記機器の外部入力に対応する出力を上記機器に対して発生すると共に、検査対象機器の出力手段の出力を機器外部で検出する入出力機構部と、上記入出力機構部と前記連携処理装置とに接続され、入出力機構部を制御して入力機構部に配置された機器に所定の外部入力を入力させると共に機器の出力を受信する一方、前記連携処理装置への指令信号を発生して連携処理装置を遠隔操作すると共に連携処理装置の動作状態を受信し、前記機器と前記連携処理装置との連携処理を実行させる連携処理検査装置と、を備えたことを特徴とする機器システムの検査装置である。
【００１０】
また、本発明は、前記機器システムの検査装置において、前記連携処理検査装置には、前記機器と連携処理装置との連携処理が予め定められた所定の手順で実行されるかどうかを監視する監視手段を備えることを特徴とする。
【００１１】
また、本発明は、前記機器システムの検査装置において、前記連携処理検査装置は、前記連携処理手段のディスプレイ表示画像を取得して、連携処理検査装置のディスプレイに表示する画像取得手段と、該検査用情報処理装置のディスプレイに表示された連携処理装置の表示画像上におけるポインティングデバイスでの入力操作で前記連携処理装置への入力処理を行う入力設定手段と、を備えることを特徴とする。
【００１２】
また、本発明は、前記機器システムの検査装置において、前記連携処理検査装置は、前記機器の外部入力に対応する入力用画像を連携処理検査装置のディスプレイに表示する入力画像表示手段と、前記入力画像上におけるポインティングデバイスでの入力操作で前記機器の入力手段への入力処理を行う機器入力設定手段と、を備えることを特徴とする。
【００１３】
また、本発明は、前記機器システムの検査装置において、前記連携処理検査装置は、ディスプレイとポインティングデバイスとを備えることを特徴とする。
【００１４】
また、本発明は、前記機器システムの検査装置において、前記連携処理検査装置は、前記入出力機構の動作手順、及び、前記連携処理装置への入力手順の少なくとも一方の入力手順を作成するシナリオ作成手段と、作成されたシナリオに基づいて入力動作を実行させるシナリオ実行手段と、を備えることを特徴とする。
【００１５】
また、本発明は、前記機器システムの検査装置において、シナリオ作成手段は、ディスプレイに表示された連携処理装置機器の入力用画像及び前記機器の入力画像上でのポインティングデバイスの入力操作によりシナリオにおける動作手順を指定することを特徴とする。
【００１６】
また、本発明は、前記機器システムの検査装置において、前記連携処理装置と連携処理検査装置とは同一の情報処理装置に配置されることを特徴とする。
【００１７】
また、本発明は、前記機器システムの検査装置において、前記連携処理装置と連携処理検査装置とは別異の情報処理装置に配置されることを特徴とする。
【００１８】
また、本発明は、前記機器システムの検査装置において、前記機器、連携処理装置、及び連携処理検査装置の間はネットワークで結合されていることを特徴とする
【００１９】
また、本発明は、前記機器システムの検査装置において、１台の機器と１台の連携処理装置、１台の機器と複数台の連携処理装置、複数台の機器と１台の連携処理装置、又は、複数台の機器と複数台の連携処理装置が連結されていることを特徴とする。
【００２０】
また、本発明は、前記機器システムの検査装置において、１台の連携処理検査装置に複数台の入出力機構が接続されていることを特徴とする。
【００２１】
また、本発明は、前記機器システムの検査装置において、複数台の入出力機構にそれぞれ配置された機器に対応する複数台の連携処理装置が連結されていることを特徴とする。
【００２２】
また、本発明は、前記機器システムの検査装置において、前記機器は、携帯電話、車載ナビゲーション装置、車載オーディオ装置、携帯電子端末装置、携帯音声画像録再装置、電子楽器、画像形成装置、又は、ネットワーク機器であることを特徴とする。
【００２３】
また、本発明は、前記機器システムの検査装置において、前記連携処理装置は、コンピュータであり、機器との連携アプリケーションプログラムがインストールされて前記連携処理をなすことを特徴とする。
【００２４】
そして、本発明は、前記機器システムの検査装置において、前記連携処理装置には、機器との連携処理をなす計測器、シミュレータ装置を含む外部ハードウェアが接続されていることを特徴とする。
【発明の効果】
【００２５】
本発明に係る機器システムの検査装置は、携帯電話やＰＨＳ等の機器がパーソナルコンピュータ等の外部接続装置に接続された状態で、それらの操作ボタン等の外部入力による種々の設定動作、静止画像、動画、及び音声が設計通り出力されるようになっているかどうか、パーソナルコンピュータによる同期や設定動作が設計通りなされているかどうかを、簡単かつ自動的に判定できるようになるという効果がある。
【発明を実施するための最良の形態】
【００２６】
以下本発明の実施の形態について図１乃至図７を参照して説明する。まず機器の検査装置の全体の構成について説明する。図１は実施の形態に係る機器システムの検査装置の全体構成の概略を示すブロック図、図２は機器システムの検査装置の詳細な構成を示すブロック図である。  
【００２７】
本例では、検査装置が検査対象とする機器システムは、機器である携帯電話１０とコンピュータで構成される連携処理装置３０とをＵＳＢケーブル１１で接続して構成される。携帯電話１０は、公知の構成を備え、外部からの物品接触による入力、音声入力、有線入力、電磁波による無線信号入力、画像信号入力を含む外部入力に対応して内部状態が変化し、内部状況の変化に伴い、画像、音声、外部機器への信号を含む外部出力を送出する出力手段を備えている。具体的には、携帯電話１０は入力用のボタン、液晶ディスプレイ、赤外線入出力窓、マイク、スピーカ、アンテナ等を備えている。  
【００２８】
連携処理装置３０を構成するコンピュータ本体３１には携帯電話の連携ソフトウェアがインストールされており、連携処理装置３０は携帯電話の設定、データのバックアップ、着信音の作成、着信音の携帯電話へのインストール等の連携処理を行うことができる。また、コンピュータ本体３１に出力手段としてモニタ装置３２が、入力手段としてキーボード３３とポインティングデバイスであるマウス３４とが接続されている。ここで、ポインティングデバイスとしては、マウスの他、タッチパッド、トラックボール、タッチパネル等を採用することができる。  
【００２９】
連携処理装置３０では連携ソフトウェアを起動して、モニタ装置３２に連携ソフトウェアの画面を表示しつつ、キーボード３３、マウス３４を使用することにより、携帯電話１０とのデータの同期、携帯電話の設定、指示、監視を含む連携処理を行うことができる。なお、このモニタ装置３２、キーボード３３及びマウス３４は、連携処理装置３０を単独で使用する場合に必要とされ、後述する連携処理検査装置４０により連携処理装置３０を制御する場合には使用されない場合がある。  
【００３０】
本例では携帯電話とパーソナルコンピュータとを接続したシステムを検査対象機器システムとする例についてのみ説明するが、既述のＰＤＡとパーソナルコンピュータ、カーナビゲーション装置、カーオーディオ装置、ＰＯＳ端末装置、プリンタ装置、コピー器等及びその他の同等機器についてもパーソナルコンピュータと接続した機器システムとして本発明を適用できることは明らかであるので、そのような機器についての説明は省略する  
【００３１】
本例に係る検査装置は、携帯電話１０と連携処理装置３０とが接続された状態で携帯電話１０と連携処理装置３０との上記連携処理が正常に行われるかどうかを判定する。  
【００３２】
本例に係る機器システムの検査装置は、前記携帯電話１０を格納する入出力機構部２０と、この入出力機構部２０と、前記連携処理装置３０に接続された他のコンピュータで構成される連携処理検査装置４０とで構成されている。  
【００３３】
入出力機構部２０は、携帯電話１０のボタンを押下する公知のプランジャユニット２１と、携帯電話１０の液晶画面を撮影するＣＣＤカメラ、赤外線入出力装置を備えるものであり、連携処理検査装置４０からの制御により作動する。即ち、入出力機構部２０は、連携処理検査装置４０からの指示により携帯電話１０を操作され、その液晶モニタの表示が連携処理検査装置４０に出力される。尚、入出力機構部２０のプランジャユニットに換え４／６軸等の多軸ロボットを使用して携帯電話１０のボタン等を操作することができる。  
【００３４】
連携処理検査装置４０は、その本体４１には連携検査プログラムがインストールされており、出力手段としてモニタ装置４２が、入力手段としてキーボード４３とポインティングデバイスであるマウス４４とが接続されている。なお、このモニタ装置４２、キーボード４３及びマウス４４は、後述するシナリオ作成時に必要とされ、連携処理検査装置４０が検査処理を行うときには必ずしも使用されない場合がある。   
【００３５】
これにより、本例に係る連携処理検査装置４０は、図２に示すように、入出力機構制御部５１、連携処理装置制御部５２、シナリオ作成部５３、シナリオ実行部５４、及び、システム評価部５５が構成される。  
【００３６】
次に入出力機構制御部５１の構成について説明する。図３は入出力機構制御部の構成を示すブロック図である。入出力機構制御部５１は、入出力機構部２０を制御して入力機構部に配置された機器に所定の外部入力を入力させる。本例では、入出力機構制御部５１は、図３に示すように、前記携帯電話１０の全体画像を前記モニタ装置４２に表示する携帯電話画像表示部６１と、前記携帯電話画像表示部６１に表示された携帯電話１０画像中の所定ボタンをマウス４４で指定したとき、携帯電話１０のそのボタンを入出力機構部２０のプランジャで押下させる入出力機構部入力制御部６２とを備える。  
【００３７】
次に連携処理装置制御部５２の構成について説明する。図４は連携処理装置制御部の構成を示すブロック図である。連携処理装置制御部５２は、前記連携処理装置である連携処理装置３０への指令信号を発生して連携処理装置３０を遠隔操作する。本例では連携処理装置制御部５２には、図４に示すように、連携処理装置３０がモニタ装置３２に表示する画像を取得してモニタ装置４２に表示させる画像キャプチャ部６３と、前記画像キャプチャ部６３に表示された連携処理装置３０の表示画像中の所定個所をマウス４４で指定したり、データをキーボードで入力したりしたとき、連携処理装置３０におけるキーボード３３、マウスからの入力時と同じ入力信号を連携処理装置３０に出力する連携処理装置入力制御部６４とを備える。  
【００３８】
上記入出力機構部入力制御部６２、及び連携処理装置入力制御部６４では、指定されたモニタ装置４２上の座標に基づいて入出力機構部２０及び連携処理装置３０への入力信号を生成する。  
【００３９】
また、シナリオ作成部５３は入出力機構部２０の動作手順、及び、前記連携処理装置３０への入力手順が設定される。本例では、入出力機構部２０の入力シナリオは、モニタ装置４２に携帯電話１０の画像を表示して、マウス４４でボタンを順次指定することにより行われる。また、同様に、連携処理装置３０への入力のシナリオは、モニタ装置４２に表示される連携処理装置３０の入力画像をマウス４４で順次指定することにより行われる。  
【００４０】
シナリオ実行部５４は、前記シナリオ作成部５３で作成されたシナリオに従って、入出力機構部入力制御部６２、連携処理装置入力制御部６４を作動させ、入出力機構部２０及び連携処理装置３０に入力信号を発生させる。  
【００４１】
システム評価部５５は、前記システム評価部５５により指定された手順に応じた入出力機構部２０及び連携処理装置３０の動作によって処理された連携処理が、入力されたシナリオから予想された期待値と一致するかを確認し、一致していない場合にはその旨を指摘する。  
【００４２】
次に本例に係る機器システムの検査装置の作動について説明する。図５は連携処理検査装置のモニタ装置の表示画面を示す図である。  
【００４３】
本例に係る機器システム検査装置を使用するときには、入出力機構部２０に携帯電話１０を設置する。このとき入出力機構部２０に携帯電話１０に適合したプランジャユニット２１又は、ロボットが配置される。また、携帯電話１０に配置された入力ボタン等が表示された携帯電話１０の外観が入出力機構部２０のＣＣＤカメラから取得、あるいはＣＧで作成され入出力機構制御部５１の携帯電話画像表示部６１に格納される。これにより、図５に示すように、モニタ装置４２の表示画面１００上には、携帯電話１０の外観画像１１０が表示される。そして、モニタ装置４２に表示された外観画像１１０中のボタン１１１をマウス４４でクリックすることにより、入出力機構部入力制御部６２から入出力機構部２０に動作信号が出力され、入出力機構部２０のプランジャユニット２１で携帯電話１０のボタンが押下される。  
【００４４】
一方、連携処理装置３０で連携処理プログラムを実行すると、連携処理装置３０のモニタ装置３２に表示される画像は、画像キャプチャ部６３で取り込まれる。これにより、図５に示すように、モニタ装置４２の表示画面１００上には、連携処理装置３０の表示画面１２０が表示され、その画面中には携帯電話の連携処理ソフトウェアの設定画面１２１が表示される。そして、モニタ装置４２に表示された設定画面１２１をマウス４４でクリックしたり、設定画面１２１中にキーボード４３で文字を入力したりすることにより、連携処理装置入力制御部６４から連携処理検査装置４０に入力信号が送信され、連携処理装置３０はその処理を実行する。  
【００４５】
次にシナリオの作成について説明する。図６はシナリオ作成時の連携処理検査装置のモニタ装置の表示画面を示す図である。  
【００４６】
本例では、シナリオの作成時には、図５に示した画面を表示しつつ、シナリオ作成部５３を起動する。すると図６に示すように、シナリオ作成画面１３１及び１３２が表示される。この状態で、携帯電話及び連携処理装置３０の操作シナリオを作成するには、外観画像１１０中のボタンや、連携処理装置３０の設定画面１２１をマウスでクリックして指定するか、キーボード４３から文字を入力していく。  
【００４７】
これにより、機器システムの試験に必要なシナリオが作成される。そして、このシナリオを必要に応じて作成して保存しておき、シナリオ実行部５４で実行させることにより、入出力機構部２０を駆動して携帯電話１０を操作すると共に、連携処理装置３０を作動させて所定の連係動作を行わせることができる。  
【００４８】
システム評価部５５はこのシナリオに従って動作する携帯電話１０及び連携処理装置３０の状態が、シナリオで予想される状態となるかを評価し、その結果を出力する。これにより、機器システムの検査が自動的に実行されることとなる。  
【００４９】
次に本発明に係る機器システムの検査装置の第２の実施の形態について説明する。図７は第２の実施の形態に係る機器システムの検査装置を示すブロック図である。  
【００５０】
本例では、連携処理装置３０には、ハードウェアとして基地局シミュレータ７０を配置し、この基地局シミュレータ７０を含めた携帯電話１０、連携処理装置３０を検査対象機器システムとしている。本例では連携処理装置３０には連携ソフトウェアの他、基地局シミュレータ７０を操作する基地局操作ソフトウェア８０を搭載している。  
【００５１】
本例においては、連携処理検査装置４０は、基地局操作ソフトウェア８０の操作画面をモニタ装置４２上に表示し、第１の実施例の連携ソフトウェアの設定と同様に基地局操作ソフトウェア８０を操作し、この基地局シミュレータ７０の動作も含めたシナリオを作成して検査を行うことができる。  
【００５２】
尚、この例では、連携処理装置３０には、ハードウェア及びソフトウェアを配置したが、連携処理装置３０にはソフトウェア又はハードウェアを単独で配置することができ、連携処理検査装置４０でハードウェア又はソフトウェアを操作し、シナリオに従って検査することができる。  
【００５３】
次に本発明に係る機器システムの検査装置の第３の実施の形態について説明する。図８は第３の実施の形態に係る機器システムの検査装置を示すブロック図である。本例では、ＬＡＮ２５０上にネットワーク機器としてプリンタ２３０と、このプリンタ設定用のコンピュータ２２０とが配置されている。本例ではプリンタ２３０は連携処理装置であるコンピュータ２２０で実行されるウエブブラウザソフトでプリンタ２３０の設定が実行される。本例ではこのような機器システムの検査を行う。  
【００５４】
本例では、入出力機構部２４０はプリンタの操作用アクチュエータ２４１を備えてなり、ＬＡＮ２５０上に配置されている。更に連携処理検査装置２１０が配置されている。本例では、連携処理検査装置２１０のモニタ画面上にコンピュータ２２０
のウエブブラウザソフトによる設定画面を表示すると共に、前記第１の実施の形態例と同様に検査を行うことができる。  
【００５５】
尚、上述した例では、機器として、携帯電話、プリンタを対象とした場合を説明したが、機器はこれに限らず、車載ナビゲーション装置、車載オーディオ装置、携帯電子端末装置、携帯音声画像録再装置、電子楽器、画像形成装置、又は、ネットワーク機器等とすることができる。このような場合には、入出力機構部は機器の入力型式に適合するように形成することが必要となる。また、連携処理装置にも危機に対応する連携処理ソフトウェアをインストールしておく。  
【００５６】
また、上記各例では、機器、連携処理装置は各１台の場合について説明したが、１台の機器と１台の連携処理装置、１台の機器と複数台の連携処理装置、複数台の機器と１台の連携処理装置、又は、複数台の機器と複数台の連携処理装置が連結されている場合についても適用できる。  
【００５７】
更に、本発明は、１台の連携処理検査装置に複数台の入出力機構が接続されている場合にも適用することができる。
【図面の簡単な説明】
【００５８】
【図１】実施の形態に係る機器システムの検査装置の全体構成の概略を示すブロック図である。
【図２】機器システムの検査装置の詳細な構成を示すブロック図である。
【図３】入出力機構制御部の構成を示すブロック図である。
【図４】連携処理装置制御部の構成を示すブロック図である。
【図５】連携処理検査装置のモニタ装置の表示画面を示す図である。
【図６】シナリオ作成時の連携処理検査装置のモニタ装置の表示画面を示す図である。
【図７】他の実施の形態に係る機器システムの検査装置の構成を示すブロック図である。
【図８】他の実施の形態に係る機器システムの検査装置の構成を示すブロック図である。
【符号の説明】
【００５９】
１０・・・携帯電話
１１・・・ＵＳＢケーブル
２０・・・入出力機構部
２１・・・プランジャユニット
３０・・・連携処理装置
３１・・・コンピュータ本体
３２・・・モニタ装置
３３・・・キーボード
３４・・・マウス
４０・・・連携処理検査装置
４１・・・本体
４２・・・モニタ装置
４３・・・キーボード
４４・・・マウス
５１・・・入出力機構制御部
５２・・・連携処理装置制御部
５３・・・シナリオ作成部
５４・・・シナリオ実行部
５５・・・システム評価部
６１・・・携帯電話画像表示部
６２・・・入出力機構部入力制御部
６３・・・画像キャプチャ部
６４・・・連携処理装置入力制御部
７０・・・基地局シミュレータ
８０・・・基地局操作ソフトウェア
１００・・・表示画面
１１０・・・外観画像
１１１・・・ボタン
１２０・・・表示画面
１２１・・・設定画面
１３１，１３２・・・シナリオ作成画面
２１０・・・連携処理検査装置
２２０・・・コンピュータ
２３０・・・プリンタ
２４０・・・入出力機構部
２４１・・・操作用アクチュエータ
【図１】
2008005391.tif 000003
【図２】
2008005391.tif 000004
【図３】
2008005391.tif 000005
【図４】
2008005391.tif 000006
【図５】
2008005391.tif 000007
【図６】
2008005391.tif 000008
【図７】
2008005391.tif 000009
【図８】
2008005391.tif 000010